(57)【要約】【課題】タッチパネルのような透明入力装置を有する電子機器の各入力モードを、確実に切替えられる電子機器を提供することを目的とする。【解決手段】表示部１０と、透明入力部２０と、プレート部３０とを、各々が任意の一辺を軸として、他の２つに対して角度可変に取り付け、表示部１０と透明入力部２０とプレート部３０との間の位置関係を判別する位置関係判別手段と、位置関係判別手段の判別結果に応じて装置１００の入力モードを設定する入力処理手段を設けた。【選択図】図１
2010257013.tif 000002
【特許請求の範囲】
【請求項１】
表示部と、両面入力可能な透明入力部と、プレート部とを有し、各々が任意の一辺を軸として、他の２つに対して角度可変に取り付けられ、前記表示部の表示面側に前記透明入力部を重ねて入力を行う第１の入力モードと、前記表示部の表示面の裏面側に前記プレートを重ね、更にそのプレート部の前記表示部と接していない面に前記透明入力部を重ねて入力を行う第２の入力モードと、前記表示部と前記透明入力部が接しない状態で前記表示部と接していない面に前記プレート部を重ねて入力を行う第３の入力モードと、を有し、前記表示部と前記透明入力部と前記プレート部との間の位置関係を判別する位置関係判別手段と、前記位置関係判別手段の判別結果に応じて装置の入力モードを設定する入力処理手段とを有する電子機器。
【請求項２】
検出部を更に有し、複数の前記検出部における検出結果が前記位置関係判別手段に入力され、前記位置関係判別手段が前記検出結果に基づいて前記第１、第２、第３の各入力モードの切り替えを判別する請求項１に記載の電子機器。
【請求項３】
前記透明入力部と前記プレート部とが接した状態で、前記第２の入力モードと前記第３の入力モードとの切り替えを判別するための第１の検出部を、前記検出部の一つとして有する請求項２に記載の電子機器。
【請求項４】
前記第２または第３の入力モードと前記第１の入力モードとの切り替えを判別するための第２の検出部を、前記検出部の一つとして更に有する請求項３に記載の電子機器。
【請求項５】
前記電子機器を低電力消費状態または電源ＯＦＦ状態とするＯＦＦモードを更に有し、前記透明入力部と前記プレート部とが接した状態で、前記ＯＦＦモードと前記第２または第３の入力モードとの切り替えを判別するための第３の検出部を、前記複数の検出部の一つとして更に有する請求項４に記載の電子機器。
【請求項６】
前記入力処理手段が、前記第１、第２、第３の各入力モード及び前記ＯＦＦモードとは別に、前記透明入力部への入力をキャンセルする非動作モードを更に有する請求項４に記載の電子機器。
【請求項７】
前記３つの入力モードごとに、前記透明入力部の走査間隔を可変させる走査間隔可変手段を更に有する請求項１に記載の電子機器。
【請求項８】
前記走査間隔可変手段が、前記第３の入力モードにおける走査間隔を、前記第１、第２の入力モードの走査間隔のいずれよりも大きくする請求項７に記載の電子機器。
【請求項９】
２つ以上の表示部を有する場合は、最も大きな表示部を前記表示部とする請求項１に記載の電子機器。
【発明の詳細な説明】
【技術分野】
【０００１】
本発明は、表示部とタッチパネルとを搭載し、複数の入力モードの中から１つを選択して使用する電子機器に関する。
【背景技術】
【０００２】
近年、タッチパネルを始めとした電子機器のユーザーインターフェースの多様化により、利用シーンに応じた入力モードを選択できる電子機器が提案されている。
【０００３】
例えば、（特許文献１）では、入力部の位置の違いにより２種類の入力モードを持つ電子機器が開示されている。（特許文献１）の電子機器は、以下に述べる２種類の入力モードを持つ。即ち液晶表示部と回動可能に設けた透明な両面から入力できるシート状の入力部とを有し、表示部と入力部が重なっている場合の、入力部を介した表示部画像をタッチすることで入力することができる表示部入力モード（本発明の特許請求の範囲における「第１の入力モード」に相当）と、表示部と入力部が接触していない場合は、表示部を見ながら入力部から入力するキーボード入力モード（本発明の特許請求の範囲における「第３の入力モード」に相当）を持つ。更に、キーボード入力モードの際には、キーボードの絵が記載された裏蓋を用いて入力部の下側に設置し、キーボード入力の補助プレートとする事ができる。
【０００４】
一方、（特許文献２）では、背面にシート状の入力部を設けることで背面からの入力を可能にした、背面入力モード（本発明の特許請求の範囲における「第２の入力モード」に相当）を実現する方法が開示されている。
【先行技術文献】
【特許文献】
【０００５】
【特許文献１】特開昭６３−５３５９５号公報
【特許文献２】特開２００３−３３０６０１号公報
【発明の概要】
【発明が解決しようとする課題】
【０００６】
これを発展させて、表示部入力モード、キーボード入力モード、背面入力モードを確実に切替え使用することができる電子機器を実現しようとした時に、これらのモードを確実に切替えるための構成や方法については開示されていなかった。
【０００７】
特に、キーボード入力モードと背面入力モード時は補助プレートと入力部の位置関係が同じであり、確実に各モードを切替える方法が必要であった。
【０００８】
本発明は、このような従来の課題を解決するものであり、３つの入力モードを確実に切替えることを目的とする。
【課題を解決するための手段】
【０００９】
本発明は上記目的を達成するために、表示部と、両面入力可能な透明入力部と、プレート部とを有し、各々が任意の一辺を軸として、他の２つに対して角度可変に取り付けられ、表示部の主画像表示面側に透明入力部を重ねて入力を行う表示部入力モードと、表示部の主画像表示面の裏面に透明入力部を重ね、更にその透明入力部の表示部と接していない面にプレート部を重ねて入力を行う背面入力モードと、表示部と透明入力部が接しない状態で表示部と接していない面にプレート部を重ねて入力を行うキーボード入力モードを有し、表示部と透明入力部とプレート部との間の位置関係を判別する位置関係判別手段と、位置関係判別手段の判別結果に応じて透明入力部からの入力信号の復号のいずれかに、３つの入力モードを設定する入力処理手段とを設けたものである。この構成により、表示部、透明入力部、プレート部の位置関係と、選択すべき入力モードとが対応付けられる。
【発明の効果】
【００１０】
本発明の電子機器によれば、入力モードの切替えを確実に行うことができる。
【図面の簡単な説明】
【００１１】
【図１】本発明の一実施の形態における電子機器の概略図
【図２】本発明の一実施の形態における電子機器の回路構成図
【図３】本発明の一実施の形態における電子機器のソフトブロック図
【図４】本発明の一実施の形態における電子機器の信号パターン図
【図５】本発明の一実施の形態における電子機器の表示部入力モードを示す図
【図６】本発明の一実施の形態における電子機器のキーボード入力モードを示す図
【図７】本発明の一実施の形態における電子機器の背面入力モードを示す図
【図８】本発明の一実施の形態における電子機器のＯＦＦモードを示す図
【図９】本発明の一実施の形態における電子機器の表示部入力モードを示す図
【図１０】本発明の一実施の形態における電子機器の入力を無視するモードを示す図
【図１１】本発明の一実施の形態における電子機器のソフトブロック図
【図１２】本発明の一実施の形態における電子機器のタッチパネルの詳細図
【図１３】本発明の一実施の形態における電子機器の信号パターン図
【図１４】本発明の一実施の形態における電子機器のタッチパネルの動作タイミングチャート
【発明を実施するための形態】
【００１２】
以下、本発明の具体的な内容について実施の形態を用いて説明する。
【００１３】
（実施の形態１）
図１は本発明の一実施の形態における電子機器の概略図である。図１（ａ）はは本発明の一実施の形態における電子機器の概略図、図１（ｂ）は矢視Ｙから見た図１（ａ）の断面図、図１（ｃ）は図１（ａ）の部品位置違いの概略図、図１（ｄ）は矢視Ｙから見た図１（ｃ）の断面図である。
【００１４】
表示本体部１０の表示パネル１１は、例えば液晶パネルや有機ＥＬパネルで構成され、表示本体部１０の内部にはＭＰＵ４０やＲＯＭ５０、ＲＡＭ６０、電源８０が搭載され、本体機能も有する。透明入力部２０の入力パネル２１は両面入力可能な透明タッチパネルで構成され、そのアクティブエリアは表示パネル１１のアクティブエリアを完全に覆うように設定されている。この両面入力可能な透明タッチパネルは、１方式で両面タッチが可能であるようなタッチパネルでもよいし、抵抗膜方式と抵抗膜方式や、抵抗膜方式と静電容量方式または赤外走査方式など２つを組み合わせたものでもよい。
【００１５】
プレート部３０には、透明入力部２０と対向する側にキーボード配列図３１が描かれている。また、各々の部品は任意の一辺を軸として角度可変に取り付けられており、その位置を自由に動かすことができる。更に、各々の部品は同じ外形寸法で構成されている。
【００１６】
位置検出部Ａ，Ｂ，Ｃは、例えば、メカニカルセンサーで構成される。メカニカルセンサーＡ（本発明の特許請求の範囲における「第３の検出部」に相当）は、透明入力部２０の入力パネル２１の面に設けられ、メカニカルセンサーＢ（本発明の特許請求の範囲における「第１の検出部」に相当）は、表示本体部１０の表示パネル裏面１２に設けられ、メカニカルセンサーＣ（本発明の特許請求の範囲における「第２の検出部」に相当）はプレート部３０のキーボード配列図３２の面に設けられる。
【００１７】
これらのメカニカルセンサーＡ，Ｂ，Ｃは、取り付けられた部品面と対向する部品面が接触したときにＯＮになるように設置されている。例えば、メカニカルセンサーＢは、表示本体部１０とプレート部３０とが重なったときにＯＮとなる。
【００１８】
このメカニカルセンサーＡ，Ｂ，Ｃとしては、例えばアルプス電気株式会社製タクトスイッチＳＫＨＣＢＦＡ０１０を使用する。また、このメカニカルセンサーＡ，Ｂ，Ｃは、例えば光センサーや磁気センサー、赤外線センサーであってもよい。磁気センサーの場合は対向する面に磁石を取り付ける。
【００１９】
図２は本発明の一実施の形態における電子機器の回路構成図である。
【００２０】
実施の形態１に係る電子機器はＭＰＵ４０、ＲＯＭ５０、ＲＡＭ６０を有し、ＭＰＵ４０に設けられたＶＤＣ４１は表示パネル１１と、ＳｅｒｉａｌＩ／Ｆ４２入力パネル２１と、ＧＰＩＯ４３は各メカニカルセンサーＡ，Ｂ，Ｃ，Ｐｏｗｅｒ  Ｃｏｎｔｒｏｌ７０とそれぞれ接続されている。Ｐｏｗｅｒ  Ｃｏｎｔｒｏｌ７０はＤＣ電源８０と接続される。メカニカルセンサーＡ，Ｂ，Ｃから得られた各信号がＭＰＵ４０のＧＰＩＯ４３に取り込まれ、指定の処理を実行し、Ｓｅｒｉａｌ  Ｉ／Ｆ４２からのＴｏｕｃｈ  Ｐａｎｅｌ２０の信号のデコードを３つの入力モードのいずれかに設定する。
【００２１】
図３は本発明の一実施の形態における電子機器のソフトブロック図である。各センサーからの入力信号ＳＡ，ＳＢ，ＳＣが、位置関係判別手段４００に送信され各部品の位置関係を判別し、それぞれの位置関係に割り当てられた信号α，βが入力処理手段４０１、若しくはＰｏｗｅｒ  Ｃｏｎｔｒｏｌ７００に送信され、信号に応じた処理が実行される。
【００２２】
図４は本発明の一実施の形態における電子機器の信号パターン図である。具体的には、各センサーからの信号ＳＡ，ＳＢ，ＳＣと、それに割り当てられた図３の入力処理手段４０１へ送信される信号αと、図３のＰｏｗｅｒ  Ｃｏｎｔｒｏｌ７００へ送信される信号βと、それぞれの信号に応じた入力モードとの関係を示している。
【００２３】
以上に説明した構成を用いて、本発明の特長となる部分について説明する。
【００２４】
図１及び図５〜図１０は、各入力モードにおける、各部品の状態である。
【００２５】
例えば、図１の状態においてメカニカルセンサーＡ，Ｂ，Ｃは、どの部品とも接触していないため、そのセンサー信号ＳＡ，ＳＢ，ＳＣは図４に示すように０，０，０となる。その信号が図３の位置関係判別手段４００に送信され、位置関係を判別する。その後、位置関係に対応した信号αは図４に示すように、０，０となり、図３の入力処理手段４０１に送信され、図４に示す信号αに対応した処理を実行する。この場合は入力を無視する。即ち、図１の状態では、入力パネル２１からの入力は無視される。
【００２６】
図５は本発明の一実施の形態における電子機器の表示部入力モードを示す図であり、図５（ａ）は本発明の一実施の形態における表示部入力モードの一例、図５（ｂ）は矢視Ｙから見た図５（ａ）の部品位置関係を示したものである。
【００２７】
図５の状態において、メカニカルセンサーＡは表示本体部１０と接触し、メカニカルセンサーＢはプレート部３０と接触し、メカニカルセンサーＣはどの部品とも接触していないため、そのセンサー信号ＳＡ，ＳＢ，ＳＣは図４に示すように１，１，０となる。その信号が図３の位置関係判別手段４００に送信され、位置関係を判別する。
【００２８】
その後、それぞれの位置関係に対応した信号αは図４に示すように、０，１となり、図３の入力処理手段４０１に送信され、図４に示す信号αに対応した処理を実行する。この場合は表示部入力モードとなる。即ち、図５の状態では、入力パネル２１からタッチ入力、ペン入力が可能となる。
【００２９】
図６は本発明の一実施の形態における電子機器のキーボード入力モードを示す図であり、図６（ａ）は本発明の一実施の形態におけるキーボード入力モードの一例、図６（ｂ）は矢視Ｙから見た図６（ａ）の部品位置関係を示す図である。
【００３０】
図６の状態において、メカニカルセンサーＡはどの部品とも接触せず、メカニカルセンサーＢもどの部品とも接触せず、メカニカルセンサーＣは透明入力部２０と接触しているため、そのセンサー信号ＳＡ，ＳＢ，ＳＣは図４に示すように０，０，１となる。その信号が図３の位置関係判別手段４００に送信され、位置関係を判別する。
【００３１】
位置関係が判別された後、それぞれの位置関係に対応した信号αは図４に示すように、１，１となり、図３の入力処理手段４０１に送信され、図４に示す信号αに対応した処理を実行する。この場合はキーボード入力モードとなる。
【００３２】
即ち、図６の状態では、透明入力部２０からプレート部３０のキーボード配列図３１が透けて見え、キーボード入力が可能となる。
【００３３】
図７は本発明の一実施の形態における電子機器の背面入力モードを示す図であり、図７（ａ）は本発明の一実施の形態における背面入力モードの一例、図７（ｂ）は矢視Ｙから見た図７（ａ）の部品位置関係を示す図である。
【００３４】
図７の状態において、メカニカルセンサーＡはどの部品とも接触せず、メカニカルセンサーＢはプレート部３０と接触し、メカニカルセンサーＣは透明入力部２０と接触しているため、そのセンサー信号ＳＡ，ＳＢ，ＳＣは図４に示すように０，１，１となる。その信号が図３の位置関係判別手段４００に送信され、位置関係を判別する。
【００３５】
その後、それぞれの位置関係に対応した信号αは図４に示すように、１，０となり、図３の入力処理手段４０１に送信され、図４に示す信号αに対応した処理を実行する。この場合は背面入力モードとなる。即ち、図７の状態では、入力パネル２１を画面の裏からタッチ入力可能となる。
【００３６】
図８は本発明の一実施の形態における電子機器のＯＦＦモードを示す図であり、図８（ａ）は本発明の一実施の形態におけるＯＦＦモードの一例、図８（ｂ）は矢視Ｙから見た図８（ａ）の部品位置関係を示す図である。
【００３７】
図８の状態において、メカニカルセンサーＡは表示本体部１０と接触し、メカニカルセンサーＢはどの部品とも接触せず、メカニカルセンサーＣは透明入力部２０と接触しているため、そのセンサー信号ＳＡ，ＳＢ，ＳＣは図４に示すように１，０，１となる。その信号が図３の位置関係判別手段４００に送信され、位置関係を判別する。
【００３８】
その後、それぞれの位置関係に対応した信号αは図４に示すように送信されず、変わりに信号βが図３のＰｏｗｅｒ  Ｃｏｎｔｒｏｌｌｅｒ７００に送信され、図４に示す信号βに対応した処理を実行する。この場合はＯＦＦモードとなる。即ち、図８の状態では、本体電源がＯＦＦされる。
【００３９】
図９は本発明の一実施の形態における電子機器の表示部入力モードを示す図であり、図９（ａ）は本発明の一実施の形態における表示部入力モードの一例、図９（ｂ）は矢視Ｙから見た図９（ａ）の部品位置関係を示す図である。
【００４０】
図９の状態において、メカニカルセンサーＡは表示本体部１０と接触し、メカニカルセンサーＢはどの部品とも接触せず、メカニカルセンサーＣもどの部品とも接触していないため、そのセンサー信号ＳＡ，ＳＢ，ＳＣは図４に示すように１，０，０となる。その信号が図３の位置関係判別手段４００に送信され、位置関係を判別する。
【００４１】
その後、それぞれの位置関係に対応した信号αは図４に示すように、０，１となり、図３の入力処理手段４０１に送信され、図４に示す信号αに対応した処理を実行する。即ち、図９の状態では、入力パネル２１からタッチ入力、ペン入力が可能となる。
【００４２】
図１０は本発明の一実施の形態における電子機器の入力を無視するモードを示す図であり、図１０（ａ）は本発明の一実施の形態における入力を無視するモードの一例、図１０（ｂ）は矢視Ｙから見た図１０（ａ）の部品位置関係を示す図である。
【００４３】
図１０の状態において、メカニカルセンサーＡはどの部品とも接触せず、メカニカルセンサーＢはプレート部３０と接触し、メカニカルセンサーＣはどの部品とも接触していないため、そのセンサー信号ＳＡ，ＳＢ，ＳＣは図４に示すように０，１，０となる。その信号が図３の位置関係判別手段４００に送信され、位置関係を判別する。
【００４４】
その後、それぞれの位置関係に対応した信号αは図４に示すように、０，０となり、図３の入力処理手段４０１に送信され、図４に示す信号αに対応した処理を実行する。この場合は入力を無視する。即ち、図１０の状態では、入力パネル２１からの入力は無視される。
【００４５】
このように本実施の形態１は、図１等に示す表示本体部１０、透明入力部２０、プレート部３０が取りうる状態が図４に示すように７パターンあり、その状態を判別する信号が３ビット必要となるため、図１等に示すように、メカニカルセンサーＡ，Ｂ，Ｃを搭載した。
【００４６】
これらのセンサーにより、図１等の表示本体部１０、透明入力部２０及びプレート部３０の間の位置関係が図２における位置関係判別手段４００により判別され、入力処理手段４０１により入力モードの切り替えが図４に示すように確実に切り替えられ、設定されるので、ユーザーは図１等に示す表示本体部１０と透明入力部２０とプレート部３０との間の位置関係を、図１及び図５〜図１０のいずれかに変更することにより、最適な入力モードを選択し、入力を行うことが出来る。
【００４７】
ここで、何故、図１等に示すようにメカニカルセンサーＡ，Ｂ，Ｃを配置しなければならないのか、その詳細な理由について改めて述べる。
【００４８】
図６と図７を比較すればわかるように、図６に示すキーボード入力モードと図７に示す背面モードとは、透明入力部２０とプレート部３０とが同じ面で接している点で共通している。
【００４９】
その状態にある図６に示すキーボード入力モードと図７に示す背面モードとを切り替えるためには、透明入力部２０とプレート部３０とが接している状態のものが、表示本体部１０の背面に接している（即ち図７の状態）のか、そうでない（即ち図６の状態）のかを判別しなければならない。それを可能としているのが、図１等に示すように表示本体部１０の背面に設けられたメカニカルセンサーＢ（即ち特許請求の範囲における「第１の検出部」）である。
【００５０】
このメカニカルセンサーＢを有することにより、透明入力部２０とプレート部３０との位置関係が同じであるところの、図７に示す背面モード（即ち特許請求の範囲における「第２の入力モード」）と、図６に示すキーボード入力モード（即ち特許請求の範囲における「第３の入力モード」）との判別が図２における位置関係判別手段４００によりなされるので、入力処理手段４０１は背面モードとキーボード入力モードとの切り替えを確実に行うことが出来る。
【００５１】
ここで、図１の入力パネル２１がパネル表面からの入力であるか、入力パネル裏面２２からの入力であるのかを判別する必要がない場合（例えば常に両面からの入力を処理できるタッチパネルを搭載している場合）は、背面モードと図５に示す表示部入力モード（即ち特許請求の範囲における「第１の入力モード」）とにおいて、入力パネル２１の入力処理手段を変更する必要がないため、このメカニカルセンサーＢのみで、３つのモードを切り替えることも可能である。
【００５２】
尚、本実施の形態１においては、図１等に示すようにメカニカルセンサーＢを表示本体部１０の表示面の背面に設けることにより、図７に示す背面モードと図６に示すキーボード入力モードとの判別を可能としているが、その代わりにプレート部３０の表示本体部１０と相対する面にセンサーを設けても良い。
【００５３】
更に、図１等のメカニカルセンサーＢを配置した上で、図７に示す背面モードでも図６に示すキーボード入力モードでも無く、図５に示す表示部入力モード（即ち特許請求の範囲における「第１の入力モード」）であることを、図２の位置関係判別手段４００が判別するための手段が必要である。それを可能としているのが図１等に示すメカニカルセンサーＣ（即ち特許請求の範囲における「第２の検出部」）である。
【００５４】
先に述べたメカニカルセンサーＢを有することにより、図７に示す背面入力モードと図６に示すキーボード入力モードとの判別がなされ、更に図１等に示すメカニカルセンサーＣを有するにより、これら図７に示す背面入力モードでも図６に示すキーボード入力でもなく、図５に示す表示部入力モードであることの判別が、図２における位置関係判別手段４００によりなされるので、入力処理手段４０１は、図５に示す表示部入力モード、図７に示す背面入力モード、図６に示すキーボード入力モードという、３つの入力モード全ての切り替えを確実に行うことが出来る。
【００５５】
尚、本実施の形態１においては、図１等に示すようにメカニカルセンサーＣを、プレート部３０の表示本体部１０の表示面の背面と相対する面に配置している表示本体部１０の背面に設けているが、その代わりに、表示本体部１０の表示面の背面であって、プレート部３０の表示本体部１０と相対する面にセンサーを設けても良い。
【００５６】
以上に示す、図５の表示部入力モード、図６のキーボード入力モード、図７の背面入力モードとからなる３つの入力モードの切り替えを行うだけなのであれば、図４を見ればわかるように、実は図１等に示すメカニカルセンサーＢとＣさえあれば十分である。
【００５７】
更に、前述したように、表示部入力モードと背面入力モードとで入力パネル２１の入力処理手段を切り替える必要が無い場合は、メカニカルセンサーＢのみで十分である。
【００５８】
しかしながら、本実施の形態１においては、図１における装置１００全体の電力消費を低減したり、入力を受付けるべきでない状態に入力モードを割り当てないようにするために、図１等に示すように、透明入力部２０の表示本体部１０と相対する面にメカニカルセンサーＡ（即ち特許請求の範囲における「第３の検出部」）を更に配置している。その理由は以下に述べる通りである。
【００５９】
図５に示す表示部入力モードと図８に示すＯＦＦモードとを比較すればわかるように、これら２つのモードにおいて表示本体部１０と透明入力部２０とは同じ面で接している点において共通している。異なる点は、プレート部３０が透明入力部２０に、図８に示すように接しているか、図５に示すように接していないかにある。図５、図８、図１等に示すメカニカルセンサーＣは、以上に述べるプレート部３０と透明入力部２０との接触状態を検出することが可能である。
【００６０】
しかしながら、プレート部３０が透明入力部２０に接触している状態は、図８に示すＯＦＦモードのみならず、図６に示すキーボード入力モードや図７に示す背面入力モードにおいても同じである。
【００６１】
従って、メカニカルセンサーＣだけでは、図５に示す表示部入力モードであるのか、それとも図６に示すキーボード入力モードまたは図７に示す背面入力モードまたは図８に示すＯＦＦモードのいずれかであるかという判別しか出来ない。
【００６２】
それに加えて、図１等に示すメカニカルセンサーＢは、表示本体部１０とプレート部３０とが接しているか否かを判別する検出手段である。メカニカルセンサーＣのみでは判別出来ないモード、即ち図６に示すキーボード入力モード、図７に示す背面入力モード、図８に示すＯＦＦモードのうち、表示本体部１０とプレート部３０とが接しているのは、図７に示す背面入力モードのみである。
【００６３】
よって、図５に示す表示部入力モード、図６に示すキーボード入力モード、図７に示す背面入力モード、図８に示すＯＦＦモードのうち、まずメカニカルセンサーＣにより、図５に示す表示部入力モードであるのか否かを判別し、次にメカニカルセンサーＢにより、図７に示す背面入力モードであるのか、図６に示すキーボード入力モードまたは図８に示すＯＦＦモードのいずれかであるのかを判別することは可能である。
【００６４】
しかし、これら２つのメカニカルセンサーＢ及びＣだけでは、図６に示すキーボード入力モードと図８に示すＯＦＦモードとの判別を行うことが出来ない。
【００６５】
なぜならば、これら２つのモードにおいて、メカニカルセンサーＣが検出する透明入力部２０とプレート部３０との位置関係、メカニカルセンサーＢが検出する表示本体部１０とプレート部３０との位置関係は、いずれも同じであるからである。
【００６６】
図６に示すキーボード入力モードと図８に示すＯＦＦモードとの相違点は、表示本体部１０と透明入力部２０とが、図６に示すキーボード入力モードにおいて互いに接しておらず、図８に示すＯＦＦモードにおいて互いに接している点にある。
【００６７】
よって、表示本体部１０と透明入力部２０の接触状態を検出するために、本実施の形態１においては、メカニカルセンサーＡを、透明入力部２０の表示本体部１０と相対する面に配置している。もちろん、メカニカルセンサーＡは、表示本体部１０の透明入力部２０と相対する面に配置しても良い。
【００６８】
更に、図１や図１０に示す装置１００の状態は、透明入力部２０が表示本体部１０にもプレート部３０にも接触していないため、本来は透明入力部２０への入力を受付けるべきではない。
【００６９】
従って、これらの状態を「非動作モード」とし、透明入力部２０に入力される信号を図２に示す入力処理手段４０１がキャンセルすることにより、ユーザが入力したつもりの無い文字や線などを受付けてしまったり、ユーザが選択したつもりの無いボタンなどを誤って選択してしまったりなどの、装置の誤動作を防止することが出来る。
【００７０】
また更に、本実施の形態１においては、図１等に示すように、電子機器１００の表示本体部１０に設けられる表示部が、透明入力部２０と相対する面に一つのみ設けられている場合について説明を行った。
【００７１】
しかし、最近では、表示部を複数有する機器が存在する。
【００７２】
例えば、本実施の形態１の電子機器１００において、透明入力部２０と相対する面に大型の表示部を有し、プレート部３０と相対する面に小型の表示部を設けても良い。その場合には、タッチ位置の検出精度が要求される線描画やカーソル移動などの操作は最も大きな表示部を用いて行われる可能性が高いため、透明入力部、プレート部３０との位置関係を最も大きな表示部との間で設定することにより、複数の表示部を有する装置において違和感の無い入力操作を実現することが出来る。
【００７３】
以上のように、本実施の形態１によれば、上記の構成により、表示部、透明入力部、プレート部の位置関係と、選択すべき入力モードとが対応付けられるので、入力モードの切替えを確実に行うことができる。
【００７４】
（実施の形態２）
以下、実施の形態２を示す。基本的な構成は、実施の形態１と同様であるが、実施の形態１と異なる点は以下の通りである。
【００７５】
図１１は本発明の一実施の形態における電子機器のソフトブロック図である。各センサーからの入力信号ＳＡ，ＳＢ，ＳＣが、位置関係判別手段４００に送信され各部品の位置関係を判別し、それぞれの位置関係に割り当てられた信号α，β，γが、入力処理手段４０１、Ｐｏｗｅｒ  Ｃｏｎｔｒｏｌ７００、更に走査間隔変更手段４０２に送信され、信号に応じた処理が実行される。
【００７６】
図１２は本発明の一実施の形態における電子機器のタッチパネルの詳細図であり、図１２（ａ）はタッチパネルの詳細図、図１２（ｂ）はタッチパネルの動作タイミングチャートである。
【００７７】
検出方式は例えば静電容量方式である。図１２において、２３は検出パネル、１ａ、１ｂ〜１ｆは検出パネル２３を構成する列検出電極（以下Ｘ電極という）、２ａ、２ｂ〜２ｈは同じく検出パネル２３を構成する行検出電極（以下Ｙ電極という）、２４はＸ電極選択回路、２５はＹ電極選択回路、２６ａ、２６ｂは検出回路、２７は制御部、２８は、前記Ｘ電極選択回路２４及びＹ電極選択回路２５の検出時間を設定する検出時間設定部である。タッチ入力を検出するためには、まずＸ方向の位置を検出するため、Ｘ電極を走査する。
【００７８】
具体的には、Ｘ電極選択回路２４によってＸ電極１ａ、１ｂ〜１ｆを、検出時間設定部２８で設定された時間で順次走査し、検出部２６ａにてタッチ入力による静電容量変化量を検出する。続いてＹ方向の位置を検出するため、Ｙ電極を走査する。
【００７９】
具体的には、Ｙ電極選択回路２４によってＹ電極２ａ、２ｂ〜２ｈを検出時間設定部２８で設定された時間で順次走査し、検出部２６ｂにてタッチ入力による静電容量変化量を検出する。その後、Ｘ、Ｙのそれぞれの位置情報をＭＰＵ４０に送り、座標を算出する。
【００８０】
図１２（ｂ）は前述の通り、タッチパネル２１の動作タイミングチャートであり、連続走査状態を示す。Ｔ１は、本パルスがＨｉｇｈの時、その電極の変化量を検出する。
【００８１】
図１３は本発明の一実施の形態における電子機器の信号パターン図である。具体的には、各センサーからの信号ＳＡ，ＳＢ，ＳＣと、それに割り当てられた図１１の入力処理手段４０１へ送信される信号αと、図１１のＰｏｗｅｒ  Ｃｏｎｔｒｏｌ７００へ送信される信号βと、図１１の走査間隔変更手段へ送信される信号γと、それぞれの信号に応じた入力モードとの関係を示している。
【００８２】
図１４は本発明の一実施の形態における電子機器のタッチパネルの動作タイミングチャートであり、間欠走査状態を示す。Ｘ電極１ａ、１ｂ〜１ｆと、Ｙ電極２ａ、２ｂ〜２ｈはそれぞれ１つ飛ばしで走査され、図１２（ｂ）に示す走査間隔に比べ、粗い状態となっている。
【００８３】
以上に説明した構成を用いて、本発明の特長となる部分について説明する。
【００８４】
例えば、図５の状態において、メカニカルセンサーＡは表示本体部１０と接触し、メカニカルセンサーＢはプレート部３０と接触し、メカニカルセンサーＣはどの部品とも接触していないため、そのセンサー信号ＳＡ，ＳＢ，ＳＣは図１２に示すように、１，１，０となる。その信号が図１１の位置関係判別手段４００に送信され、位置関係を判別する。
【００８５】
その後、それぞれの位置関係に対応した信号αは図１２に示すように、０，１となり、図１１の入力処理手段４０１に送信され、図１２に示す信号αに対応した処理を実行する。この場合は表示部入力モードとなる。即ち、図５の状態では、入力パネル２１からタッチ入力、ペン入力が可能となる。
【００８６】
また、信号γは図１２に示すように０となり、図１１の走査間隔変更手段４０２に送信され、図１２に示す信号γに対応した処理を実行する。
【００８７】
この場合は、図１２（ｂ）に示す走査間隔となる。即ち、図５の状態では走査間隔が細かく、指やペンからの入力がスムーズに行える。走査間隔の細かさについては、図７、図９の状態も同様である。
【００８８】
図６の状態において、メカニカルセンサーＡはどの部品とも接触せず、メカニカルセンサーＢもどの部品とも接触せず、メカニカルセンサーＣは透明入力部２０と接触しているため、そのセンサー信号ＳＡ，ＳＢ，ＳＣは図１２に示すように０，０，１となる。その信号が図１１の位置関係判別手段４００に送信され、位置関係を判別する。
【００８９】
位置関係が判別された後、それぞれの位置関係に対応した信号αは図１２に示すように、１，１となり、図１１の入力処理手段４０１に送信され、図１３に示す信号αに対応した処理を実行する。この場合はキーボード入力モードとなる。即ち、図６の状態では、透明入力部２０からプレート部３０のキーボード配列図３１が透けて見え、キーボード入力が可能となる。
【００９０】
また、信号γは図１２に示すように１となり、図１１の走査間隔可変手段４０２に送信され、図１２に示す信号γに対応した処理を実行する。この場合は、図１４に示す走査間隔となる。即ち図６の状態では走査間隔が粗くなる。この走査間隔は、キーボード位置に応じて可変できるようにしてもよい。
【００９１】
図５、図９は表示部入力モード、図７は背面入力モードであるが、これらのモードにおいて、ペンで手書きの線を入力する操作や、画面に表示されたポインタを指で微調整する操作がなされるため、指やペンの細かい動きまで認識する必要があり、走査間隔を細かくすることが要求される。
【００９２】
一方、図６のキーボード入力モードは、指が透明入力部に触れていない時間があるため、走査間隔を長くでき、ＣＰＵクロック速度を低くすることが可能となるため、消費電力を抑制できる。
【産業上の利用可能性】
【００９３】
このように、走査間隔可変手段４０２を設け、走査間隔の切替えを行えば、各入力モードに必要十分な走査間隔が設定されるので、装置の電力消費を低減することが出来る。
特に本実施の形態２のキーボード入力においては、人の指の大きさに応じて設定された領域を有する各キーを認識出来れば良く、タッチ位置の検出精度が要求される線描画やカーソル移動などが無いため、線描画やカーソル移動などの操作が行われる可能性の高い表示部入力モードや背面入力モードよりも粗い走査間隔で十分入力可能なので、キーボード入力において電子機器１００の消費電力を抑制することが出来、端末をより長時間使うことができる。
【符号の説明】
【００９４】
１０    表示本体部
１１    表示パネル
１２    表示パネル裏面
２０    透明入力部
２１    入力パネル
２２    入力パネル裏面
２３    Ｘ電極選択回路
２４    Ｙ電極選択回路
２５    検出回路
２６    制御部
２７    検出時間設定部
３０    プレート部
３１    キーボード配列図
３２    キーボード配列図裏面
４０    ＭＰＵ
４１    ＶＤＣ
４２    Ｓｅｒｉａｌ  Ｉ／Ｆ
４３    ＧＰＩＯ
５０    ＲＯＭ
６０    ＲＡＭ
７０    Ｐｏｗｅｒ  Ｃｏｎｔｒｏｌ
８０    ＤＣ電源
１００    装置
２０１    タッチパネル入力
４００    位置関係判別手段
４０１    入力処理手段
４０２    走査間隔変更手段
７００    Ｐｏｗｅｒ  Ｃｏｎｔｒｏｌ
【図１】
2010257013.tif 000003
【図２】
2010257013.tif 000004
【図３】
2010257013.tif 000005
【図４】
2010257013.tif 000006
【図５】
2010257013.tif 000007
【図６】
2010257013.tif 000008
【図７】
2010257013.tif 000009
【図８】
2010257013.tif 000010
【図９】
2010257013.tif 000011
【図１０】
2010257013.tif 000012
【図１１】
2010257013.tif 000013
【図１２】
2010257013.tif 000014
【図１３】
2010257013.tif 000015
【図１４】
2010257013.tif 000016